(57)【要約】【課題】携帯電話機において、不在着信呼び出し時間に基づくダイヤルロック機能の設定を可能にする。【解決手段】開示される携帯電話機は、無線部１において着信を検出したとき、制御部２が、着信に対する応答が行われたか否かを判定し、判定結果、応答が行われなかったとき、メモリ３に格納されている不在着信時におけるダイヤルロック機能の設定が有効であるか、または無効であるかを判定し、判定結果、ダイヤルロック機能の設定が有効であるとき、不在着信時の呼び出し時間がメモリ３に予め設定されている時間を超過したか否かを判定し、判定結果、不在着信時の呼び出し時間がメモリ３に予め設定されている時間を超過したとき、ダイヤルロックを実行するように構成されている。【選択図】図１
2007274184.tif 000002
【特許請求の範囲】
【請求項１】
着信時、該着信に対する応答が行われたか否かを判定する手段と、前記応答が行われなかったとき、不在着信時におけるダイヤルロック機能の設定の有効または無効を判定する手段と、前記ダイヤルロック機能の設定が有効であるとき、不在着信時の呼び出し時間が予め設定されている時間を超過したか否かを判定する手段と、前記不在着信時の呼び出し時間が前記予め設定されている時間を超過したとき、ダイヤルロックを実行する手段とを備えたことを特徴とする携帯電話機。
【請求項２】
無線送受信手段と制御手段と記憶手段とを備えた携帯電話機であって、前記無線送受信手段において着信を検出したとき、前記制御手段が、前記着信に対する応答が行われたか否かを判定し、判定結果、前記応答が行われなかったとき、前記記憶手段における不在着信時のダイヤルロック機能の設定の有効または無効を判定し、判定結果、前記ダイヤルロック機能の設定が有効であるとき、不在着信時の呼び出し時間が前記記憶手段に予め設定されている時間を超過したか否かを判定し、判定結果、前記不在着信時の呼び出し時間が前記予め設定されている時間を超過したとき、ダイヤルロックを実行するように構成されていることを特徴とする携帯電話機。
【請求項３】
前記不在着信時におけるダイヤルロック機能の設定の有効または無効と、前記不在着信時の呼び出し時間に対する設定時間とが、メニュー画面上に表示されることを特徴とする請求項１又は２記載の携帯電話機。
【請求項４】
着信時、該着信に対する応答が行われたか否かを判定する手段と、前記応答が行われなかったとき、不在着信時におけるダイヤルロック機能の設定の有効または無効を判定する手段と、前記ダイヤルロック機能の設定が有効であるとき、不在着信回数が予め設定されている回数に到達したか否かを判定する手段と、前記不在着信回数が前記予め設定されている回数に到達したとき、ダイヤルロックを実行する手段とを備えたことを特徴とする携帯電話機。
【請求項５】
無線送受信手段と制御手段と記憶手段とを備えた携帯電話機であって、前記無線送受信手段において着信を検出したとき、前記制御手段が、前記着信に対する応答が行われたか否かを判定し、判定結果、前記応答が行われなかったとき、前記記憶手段における不在着信時のダイヤルロック機能の設定の有効または無効を判定し、判定結果、前記ダイヤルロック機能の設定が有効であるとき、不在着信回数が前記記憶手段に予め設定されている回数に到達したか否かを判定し、判定結果、前記不在着信回数が前記予め設定されている回数に到達したとき、ダイヤルロックを実行するように構成されていることを特徴とする携帯電話機。
【請求項６】
前記不在着信時におけるダイヤルロック機能の設定の有効または無効と、前記不在着信回数に対する設定回数とが、メニュー画面上に表示されることを特徴とする請求項４または５記載の携帯電話機。
【請求項７】
携帯電話機において、着信を検出したとき、前記着信に対する応答が行われたか否かを判定して、前記応答が行われなかったと判定されたとき、不在着信時におけるダイヤルロック機能の設定の有効または無効を判定して、前記ダイヤルロック機能の設定が有効であると判定されたとき、不在着信時の呼び出し時間が予め設定されている時間を超過したか否かを判定して、前記不在着信時の呼び出し時間が前記予め設定されている時間を超過したと判定されたとき、ダイヤルロックを実行することを特徴とする携帯電話機における不在着信時の操作制限自動制御方法。
【請求項８】
携帯電話機において、着信を検出したとき、前記着信に対する応答が行われたか否かを判定して、前記応答が行われなかったと判定されたとき、不在着信時におけるダイヤルロック機能の設定の有効または無効を判定して、前記ダイヤルロック機能の設定が有効であると判定されたとき、不在着信回数が予め設定されている回数に到達したか否かを判定して、前記不在着信回数が前記予め設定されている回数に到達したと判定されたとき、ダイヤルロックを実行することを特徴とする携帯電話機における不在着信時の操作制限自動制御方法。
【発明の詳細な説明】
【技術分野】
【０００１】
この発明は、ユーザが携帯電話機を所持していない場合や紛失した場合等において、不正使用を防止可能にした携帯電話機、および携帯電話機における不在着信時の操作制限自動制御方法に関する。
【背景技術】
【０００２】
近年において、携帯電話機やＰＨＳ（Personal Handyphone System）等の携帯情報端末（以下、単に携帯電話機という）の普及に伴って、携帯電話機を所持していない場合や紛失した場合等のように、携帯電話機が正当な使用者（以下、ユーザともいう）による管理下から離脱した状態での着信（以下、不在着信という）が発生した場合には、ユーザ以外の者による不正使用が行われる可能性があり、従ってこのような状態での携帯電話機の使用を、何らかの方法によって自動的に制限できるようにすることが望ましい。
【０００３】
従来の携帯電話機では、ユーザが携帯電話機を所持していない場合や紛失した場合等のような、ユーザの不在状態での着信時には、携帯電話機のダイヤルキーを押してもパスワード入力等の操作以外は行えないようにして、通話のためのダイヤリングを無効にする処理（以下、ダイヤルロックという）を容易に行うことができず、そのため、ユーザ以外の者による不正使用が行われる可能性が大きい場合でも、携帯電話機の使用を、自動的に制限できるようにすることができなかった。
【０００４】
これに対して、例えば特許文献１においては、ユーザの呼び出しを行う呼出手段を備えた移動無線通信機において、予め定められた設定時間内における着信回数と、着信ごとに呼出手段によって行う呼出回数とを、予め定められた条件と比較して、一致した場合に遠隔ダイヤルロック機能によって、移動無線通信機の機能を制限するようにした移動無線通信機が開示されている。
【０００５】
しかしながら、特許文献１記載の発明による場合は、遠隔ダイヤルロック機能を利用しなければ、正当な所有者以外の者による移動無線通信機の不正使用を防止するたことはできない。
【０００６】
また、特許文献２においては、携帯電話機が顧客情報管理蓄積装置に記憶されているダイヤルロックサービスおよびデータ消去サービスの設定状態を受信すると、その設定状態に基づいて、ダイヤルロックサービスとデータ消去サービスとを行うことによって、正当な所有者以外の者による携帯電話機の通話禁止と、電話帳等の個人情報データの閲覧を不可能にする、携帯通信端末制御方法、携帯通信端末、サーバ装置、プログラムおよび記録媒体が開示されている。
【０００７】
しかしながら、特許文献２記載の発明によれば、遠隔操作によってダイヤルロックサービスおよびデータ消去サービスの設定状態の情報を受信しなければ、正当な所有者以外の者による携帯電話機の不正使用を防止するたことはできない。
【０００８】
さらに、特許文献３においては、発呼者を識別するための識別情報の受信を検出する受信検出手段と、識別情報の受信に応じて、受信をユーザに報知する報知手段と、ユーザによる通話動作への切替指示を検出する切換指示検出手段と、報知手段による報知が終了するまでに切換指示が検出されない不在着信を検出する不在着信検出手段と、検出された不在着信の識別情報を記憶する識別情報記憶手段と、不在検出手段により不在着信を検出してからの経過時間を計時する計時手段と、計時手段により所定時間が計時される前に、識別情報記憶手段に記憶された識別情報を出力する指示が検出されなかった場合、再度報知する再報知手段とを備えた携帯無線端末が開示されている。
【０００９】
しかしながら、特許文献３記載の発明では、発呼者を識別するための識別情報を受信しなければ、正当な所有者以外の者による携帯無線端末の不正使用を防止することができない。
【特許文献１】特開２０００−０７８６６３号公報
【特許文献２】特開２００３−３１９４５３号公報
【特許文献３】特開２００５−１５０８１７号公報
【発明の開示】
【発明が解決しようとする課題】
【００１０】
従来の携帯電話機においては、特定の情報を受信しなければ、ダイヤルロックを行うことができないため、ユーザ以外の者による不正使用が行われる可能性ある場合でも、携帯電話機の使用を自動的に制限できるようにすることが不可能であるという問題があった。
【００１１】
この発明は上述の事情に鑑みてなされたものであって、携帯電話機において、不在着信時におけるダイヤルロックを容易に行うことができるようにすることによって、ユーザ以外の者による不正使用が行われる可能性がある場合に、携帯電話機の使用を確実に自動的に制限することが可能な、携帯電話機および携帯電話機における不在着信時の操作制限自動制御方法を提供することを目的としている。
【課題を解決するための手段】
【００１２】
上記課題を解決するため、請求項１記載の発明は携帯電話機に係り、着信時、該着信に対する応答が行われたか否かを判定する手段と、前記応答が行われなかったとき、不在着信時におけるダイヤルロック機能の設定の有効または無効を判定する手段と、前記ダイヤルロック機能の設定が有効であるとき、不在着信時の呼び出し時間が予め設定されている時間を超過したか否かを判定する手段と、前記不在着信時の呼び出し時間が前記予め設定されている時間を超過したとき、ダイヤルロックを実行する手段とを備えたことを特徴としている。
【００１３】
また、請求項２記載の発明は携帯電話機に係り、無線送受信手段と制御手段と記憶手段とを備えた携帯電話機であって、前記無線送受信手段において着信を検出したとき、前記制御手段が、前記着信に対する応答が行われたか否かを判定し、判定結果、前記応答が行われなかったとき、前記記憶手段における不在着信時のダイヤルロック機能の設定の有効または無効を判定し、判定結果、前記ダイヤルロック機能の設定が有効であるとき、不在着信時の呼び出し時間が前記記憶手段に予め設定されている時間を超過したか否かを判定し、判定結果、前記不在着信時の呼び出し時間が前記予め設定されている時間を超過したとき、ダイヤルロックを実行するように構成されていることを特徴とすしている。
【００１４】
また、請求項３記載の発明は、請求項１又は２記載の携帯電話機に係り、前記不在着信時におけるダイヤルロック機能の設定の有効または無効と、前記不在着信時の呼び出し時間に対する設定時間とが、メニュー画面上に表示されることを特徴としている。
【００１５】
また、請求項４記載の発明は携帯電話機に係り、着信時、該着信に対する応答が行われたか否かを判定する手段と、前記応答が行われなかったとき、不在着信時におけるダイヤルロック機能の設定の有効または無効を判定する手段と、前記ダイヤルロック機能の設定が有効であるとき、不在着信回数が予め設定されている回数に到達したか否かを判定する手段と、前記不在着信回数が前記予め設定されている回数に到達したとき、ダイヤルロックを実行する手段とを備えたことを特徴としている。
【００１６】
また、請求項５記載の発明は携帯電話機に係り、無線送受信手段と制御手段と記憶手段とを備えた携帯電話機であって、前記無線送受信手段において着信を検出したとき、前記制御手段が、前記着信に対する応答が行われたか否かを判定し、判定結果、前記応答が行われなかったとき、前記記憶手段における不在着信時のダイヤルロック機能の設定の有効または無効を判定し、判定結果、前記ダイヤルロック機能の設定が有効であるとき、不在着信回数が前記記憶手段に予め設定されている回数に到達したか否かを判定し、判定結果、前記不在着信回数が前記予め設定されている回数に到達したとき、ダイヤルロックを実行するように構成されていることを特徴としている。
【００１７】
また、請求項６記載の発明は、請求項４または５記載の携帯電話機に係り、前記不在着信時におけるダイヤルロック機能の設定の有効または無効と、前記不在着信回数に対する設定回数とが、メニュー画面上に表示されることを特徴としている。
【００１８】
また、請求項７記載の発明は、携帯電話機における不在着信時の操作制限自動制御方法に係り、携帯電話機において、着信を検出したとき、前記着信に対する応答が行われたか否かを判定して、前記応答が行われなかったと判定されたとき、不在着信時におけるダイヤルロック機能の設定の有効または無効を判定して、前記ダイヤルロック機能の設定が有効であると判定されたとき、不在着信時の呼び出し時間が予め設定されている時間を超過したか否かを判定して、前記不在着信時の呼び出し時間が前記予め設定されている時間を超過したと判定されたとき、ダイヤルロックを実行することを特徴としている。
【００１９】
また、請求項８記載の発明は、携帯電話機における不在着信時の操作制限自動制御方法に係り、携帯電話機において、着信を検出したとき、前記着信に対する応答が行われたか否かを判定して、前記応答が行われなかったと判定されたとき、不在着信時におけるダイヤルロック機能の設定の有効または無効を判定して、前記ダイヤルロック機能の設定が有効であると判定されたとき、不在着信回数が予め設定されている回数に到達したか否かを判定して、前記不在着信回数が前記予め設定されている回数に到達したと判定されたとき、ダイヤルロックを実行することを特徴としている。
【発明の効果】
【００２０】
本発明の携帯電話機では、不在着信時におけるダイヤルロックを容易に行うことができるので、ユーザ以外の者による不正使用である可能性がある場合に、携帯電話機の使用を確実に自動的に制限することができる。
【発明を実施するための最良の形態】
【００２１】
無線部１と、制御部２と、メモリ３とを備えた携帯電話機において、無線部１において着信を検出したとき、制御部２が、着信に対する応答が行われたか否かを判定し、判定結果、応答が行われなかったとき、メモリ３における不在着信時のダイヤルロック機能の設定が有効であるか否かを判定し、判定結果、ダイヤルロック機能の設定が有効であったとき、不在着信時の呼び出し時間がメモリ３に予め設定されている時間を超過したか否かを判定し、判定結果、不在着信時の呼び出し時間が予め設定されている時間を超過したとき、ダイヤルロックを実行する。
【実施例１】
【００２２】
図１は、本発明の第１実施例である携帯電話機の回路構成を示すブロック図、図２は、本実施例の携帯電話機において、不在着信呼び出し時間に応じてダイヤルロック機能を有効にするか、または無効にするかを設定するための、メニュー上の表示画面を示す図、図３は、本実施例の携帯電話機において、不在着信呼び出し時間に基づくダイヤルロック機能を設定されている場合における、着信時の動作を示す図である。
【００２３】
この例の携帯電話機は、図１に示すように、無線部１と、制御部２と、メモリ３とから概略構成されている。
【００２４】
図１において、無線部１は、無線信号の送受信手段を備えていて、着信を検出する。制御部２は、携帯電話機の全体の動作を制御するとともに、無線部１における着信状態での呼び出し時間を計時して、メモリ３に格納されている不在着信呼び出し時間と照合することによって、不在着信時のダイヤルロック機能の設定を制御する。メモリ３においては、図示のように、不在着信呼び出し時間設定のための情報と、不在着信時のダイヤルロック設定のための情報とが予め格納されている。
【００２５】
以下、図２，図３を参照して、この例の携帯電話機の動作を説明する。
図２は、この例の携帯電話機において、不在着信時の呼び出し時間に応じて、ダイヤロック機能を有効にするか、または無効にするかを設定するために、メモリ３の記憶内容に基づいて携帯電話機の表示画面上に表示されるメニューの内容を示したものである。
図２に示されたメニューを使用して、●のように「有効」のマークをチェックすることによって、不在着信時の呼び出しが所定時間以上継続した場合に、ダイヤルロック機能の設定を有効にすることができる。一方、「無効」のマークをチェックした場合には、不在着信があっても、ダイヤルロック機能の設定は行われない。
さらにこの際、不在着信に基づくダイヤルロックの設定を有効にするための、不在着信呼び出しの継続時間を、任意の時間（例えば１秒以上というように）に設定することができるようになっている。
【００２６】
図３は、不在着信時の呼び出し時間に基づくダイヤルロック機能の設定が行われている場合に、制御部２の制御に基づいて行われる、携帯電話機の着信時の動作を示したものである。
制御部２は、無線部１において着信があったことが検出されたとき（ステップＳ１）、着信に対する応答が行われたか否かを判定して、着信に対する応答が行われた場合は処理を終了し、着信に対する応答が行われなかったときは次のステップへ進む（ステップＳ２）。
【００２７】
次に、図２に示すメニューの表示画面上において、不在着信時、ダイヤルロック機能を有効にする設定が行われているか、または無効にする設定が行われているかを判定して、ダイヤルロック機能を有効にする設定が行われていない場合は処理を終了し、ダイヤルロック機能を有効にする設定が行われているときは次のステップへ進む（ステップＳ３）。  次に、不在着信の呼び出し時間が、予め設定されている時間を超過したか否かを判定して、設定されている時間を超過してない場合は処理を終了し、設定されている時間を超過しているときは次のステップへ進み（ステップＳ４）、次のステップにおいてダイヤルロックを実行して（ステップＳ５）、すべての処理を終了する。
【００２８】
このように、この例の携帯電話機では、不在着信の呼び出し時間の長短に応じてダイヤルロックを行うべきか否かの選択が自動的に行われるようになっている。すなわち、携帯電話機がユーザによる管理可能な状態でない場合に、不在着信の呼び出し時間が予め設定されている時間を超過したとき、ダイヤルロック処理が実行されるため、携帯電話機のダイヤルキーを押してもパスワード入力等の操作以外は行えないようになるので、不在着信時に不正使用が行われるのを確実に防止することができるようになる。
【実施例２】
【００２９】
以下、本発明の第２実施例として、着信動作の中から不在着信の回数を検出して、その回数に応じて、ダイヤルロック処理を実行するか否かを決定する場合の例について説明する。
図４は、この例の携帯電話機において、不在着信回数に基づくダイヤルロック設定機能を有する場合における、着信時の動作を示す図である。
この例の場合は、図１に示された携帯電話機の構成において、メモリ３に不在着信呼び出し時間に代えて、不在着信回数の設定情報を格納する点が、第１実施例の場合と異なっている。また、図２に示す不在着信ダイヤルロックの設定メニューにおいて、不在着信呼び出し時間に代えて、不在着信回数を設定する点が、第１実施例の場合と異なっている。
【００３０】
以下、図４を参照して、この例の携帯電話機において、不在着信時の呼び出し回数に対応するダイヤルロック機能の設定が行われている場合に、制御部２の制御に基づいて行われる、携帯電話機の着信時の動作を説明する。
制御部２は、無線部１において着信があったことが検出されたとき（ステップＳ１１）、着信に対する応答が行われたか否かを判定して、着信に対する応答が行われた場合は処理を終了し、着信に対する応答が行われなかったときは次のステップへ進む（ステップＳ１２）。
【００３１】
次に、図２に示されたメニューの表示画面上において、不在着信時、ダイヤルロック機能を有効にする設定が行われているか、または無効にする設定が行われているかを判定して、ダイヤルロック機能を有効にする設定が行われていない場合は処理を終了し、ダイヤルロック機能を有効にする設定が行われているときは次のステップへ進む（ステップＳ１３）。
次に、メモリ部３に格納されている、前回までの不在着信回数を１だけカウントアップした値が、予め設定されている不在着信の設定回数に到達したか否かを判定して、設定回数に到達していないとき（ステップＳ１４）は、このカウントアップした値をメモリ部に格納して処理を終了する（ステップＳ１５）。
【００３２】
以降、同じ処理を繰り返して、不在着信によって、前回までの不在着信回数を１だけカウントアップした不在着信回数が、予め設定されている回数に到達したときは（ステップＳ１４）次のステップへ進み、次のステップにおいてダイヤルロックを実行して（ステップＳ１６）、すべての処理を終了する。
【００３３】
このように、この例の携帯電話機によれば、不在着信回数の多寡に応じてダイヤルロックを行うべきか否かの選択が自動的に行われるようになっている。すなわち、携帯電話機がユーザによる管理可能な状態でない場合に、不在着信回数が予め設定されている回数に到達したとき、ダイヤルロックが実行されるため、携帯電話機のダイヤルキーを押してもパスワード入力等の操作以外は行えないようになるので、不在着信時に不正使用が行われるのを確実に防止することができるようになる。
【００３４】
以上、この発明の実施例を図面により詳述してきたが、具体的な構成はこの実施例に限られるものではなく、この発明の要旨を逸脱しない範囲の設計の変更等があってもこの発明に含まれる。例えば、不在着信ダイヤルロックを実行すべき不在着信呼び出し時間は実施例の場合に限らず、任意に設定することができる。また、不在着信ダイヤルロックを実行すべき不在着信回数も、任意に設定することができる。
【産業上の利用可能性】
【００３５】
この発明の携帯電話機は、どのような通信方式の携帯電話機においても、利用可能なものである。
【図面の簡単な説明】
【００３６】
【図１】本発明の第１実施例である携帯電話機の回路構成を示すブロック図である。
【図２】同実施例の携帯電話機において、不在着信呼び出し時間に応じてダイヤルロック設定機能を有効にするか、または無効にするかを設定するための、メニュー上の表示画面を示す図である。
【図３】同実施例の携帯電話機において、不在着信呼び出し時間に基づくダイヤルロック設定機能を有する場合における、着信時の動作を示す図である。
【図４】本発明の第２実施例である携帯電話機において、不在着信回数に基づくダイヤルロック設定機能を有する場合における、着信時の動作を示す図である。
【符号の説明】
【００３７】
１    無線部（無線送受信部）
２    制御部（制御手段）
３    メモリ（記憶手段）
【図１】
2007274184.tif 000003
【図２】
2007274184.tif 000004
【図３】
2007274184.tif 000005
【図４】
2007274184.tif 000006